(57)【要約】【課題】複数の表示部を有する平面表示装置において、低消費電力化と共に装置の低廉化を実現する平面表示装置を提供する。【解決手段】第１表示部ＤＹＰ１と第２表示部ＤＹＰ２とは、マトリクス状に配置された複数の表示画素と、走査線２０１、２０２と、信号線３０４と、表示画素毎に走査線２０１、２０２及び信号線３０４に電気的に接続されるスイッチ素子とを有し、駆動部２１１、３０３は、走査線２０１及び走査線２０２にそれぞれ走査信号を供給する走査線駆動回路２１１と、信号線３０４に映像信号を供給する信号線駆動回路３０３と、を有し、走査線２０１と走査線２０２との一方を、１走査線単位で選択する場合と、少なくとも２以上の走査線単位で選択する場合とを切替える切替え手段２１１Ａ、２１１Ｂ、２１１Ｃを含む、平面表示装置。【選択図】      図１
2009139650.tif 000002
【特許請求の範囲】
【請求項１】
第１表示部と、第２表示部と、前記第１表示部および第２表示部に駆動信号を供給する駆動部と、を有する平面表示装置であって、
前記第１表示部および前記第２表示部のそれぞれは、マトリクス状に配置された複数の表示画素と、前記表示画素が配列する行に沿って配置された走査線と、前記表示画素が配列する列に沿って配置された信号線と、前記表示画素毎に前記走査線及び前記信号線に電気的に接続されるスイッチ素子とを有し、
前記駆動部は、前記第１表示部の走査線及び前記第２表示部の走査線にそれぞれ走査信号を供給する走査線駆動回路と、前記第１表示部の信号線及び前記第２表示部の信号線にそれぞれ映像信号を供給する信号線駆動回路と、を有し、
前記第１表示部または前記第２表示部は、前記スイッチ素子と同一工程で作成され、前記第１表示部の走査線と前記第２表示部の走査線とのいずれか一方を、１走査線単位で選択する場合と、少なくとも２以上の走査線単位で選択する場合とを切替える切替え手段を含む、平面表示装置。
【請求項２】
前記第１表示部の走査線のそれぞれ一端は前記走査線駆動回路との導通／非導通を制御する第１切替え手段を介して前記走査線駆動回路と電気的に接続され、前記第１表示部の走査線のそれぞれ他端は前記走査線駆動回路との導通／非導通を制御する第２切替え手段を介して前記走査線駆動回路と電気的に接続され、
前記走査線駆動回路は前記走査線の一端に１走査線単位で走査信号を出力すると共に、前記走査線の他端に２以上の走査線単位で走査信号を出力する、請求項１記載の平面表示装置。
【請求項３】
前記第２表示部の走査線のそれぞれ一端は前記走査線駆動回路との導通／非導通を制御する第３切替え手段を介して前記走査線駆動回路と電気的に接続され、前記第２表示部の走査線のそれぞれ他端は前記走査線駆動回路との導通／非導通を制御する第４切替え手段を介して前記走査線駆動回路と電気的に接続され、
前記走査線駆動回路は前記走査線の一端に１走査線単位で走査信号を出力すると共に、前記走査線の他端に２以上の走査線単位で走査信号を出力する、請求項２記載の平面表示装置。
【請求項４】
前記信号線の少なくとも一部は、前記第１表示部と前記第２表示部とに共有されている請求項１記載の平面表示装置。
【発明の詳細な説明】
【技術分野】
【０００１】
本発明は、平面表示装置に関し、特に、アクティブマトリクス型の平面表示装置に関する。
【背景技術】
【０００２】
液晶表示装置に代表される平面表示装置は、薄型、軽量、低消費電力等の特徴を有しており、ＯＡ機器情報端末、時計、及びテレビ等の様々な用途に応用されている。特に、薄膜トランジスタ(以下、ＴＦＴという)を有する液晶表示装置は、その高い応答性から、携帯テレビやコンピュータなどのように多量の情報を表示するモニタとして用いられている。
【０００３】
液晶表示装置は、一般に、互いに対向して配置された一対の基板と、一対の基板間に挟持された液晶層と、マトリクス状に配置された複数の表示画素からなる表示部と、を有している。
【０００４】
表示部には、複数の表示画素が配列する行に沿って配置された走査線と、複数の表示画素が配列する列に沿って配置された信号線と、が配置されている。走査線と信号線とが交差する位置の近傍には画素スイッチが配置されている。
【０００５】
一方の基板には、それぞれの表示画素に対応して画素電極が配置されている。他方の基板には複数の画素電極に対向する対向電極が配置されている。画素電極と対向電極とに電圧が印加されることにより、これらの電極間に挟持された液晶に液晶電圧が印加される。
【０００６】
近年、複数の表示部を有する機器が普及している。例えば、表示容量の大きいメイン表示部と表示容量の小さいサブ表示部とを有する携帯電話等の通信機器が普及している。
【０００７】
このような表示装置にあっては、その消費電力を低減する目的で、例えばメイン及びサブ表示部を共通の信号線で制御する技術が提案されている。（特許文献１参照）。
【特許文献１】特開２００３−３２３１６４号公報
【発明の開示】
【発明が解決しようとする課題】
【０００８】
しかし、上記のような表示装置にあっては、半導体チップからなるドライバ内に種々の表示モードに対応した制御機能を盛り込む必要があるため、装置の低廉化が困難である。
【０００９】
本発明は上記の問題点に鑑みて成されたものであって、複数の表示部を有する平面表示装置において、低消費電力化と共に装置の低廉化を実現する平面表示装置を提供することを目的とする。
【課題を解決するための手段】
【００１０】
本発明の態様による平面表示装置は、第１表示部と、第２表示部と、前記第１表示部および第２表示部に駆動信号を供給する駆動部と、を有する液晶表示装置であって、前記第１表示部および前記第２表示部のそれぞれは、マトリクス状に配置された複数の表示画素と、前記表示画素が配列する行に沿って配置された走査線と、前記表示画素が配列する列に沿って配置された信号線と、前記表示画素毎に前記走査線及び前記信号線に電気的に接続されるスイッチ素子とを有し、前記駆動部は、前記第１表示部の走査線及び前記第２表示部の走査線にそれぞれ走査信号を供給する走査線駆動回路と、前記第１表示部の信号線及び前記第２表示部の信号線にそれぞれ映像信号を供給する信号線駆動回路と、を有し、前記第１表示部または前記第２表示部は、前記スイッチ素子と同一工程で作成され、前記第１表示部の走査線と前記第２表示部の走査線とのいずれか一方を、１走査線単位で選択する場合と、少なくとも２以上の走査線単位で選択する場合とを切替える切替え手段を含む。
【発明の効果】
【００１１】
この発明によれば、複数の表示部を有する平面表示装置において、低消費電力化と共に装置の低廉化を実現する平面表示装置を提供することができる。
【発明を実施するための最良の形態】
【００１２】
以下に、本発明の第１実施形態に係る平面表示装置として、液晶表示装置を例にとり図面を参照して説明する。本実施形態に係る液晶表示装置は、図１に示すように第１液晶表示パネルＰＮＬ１と第２液晶表示パネルＰＮＬ２とを有している。第１液晶表示パネルＰＮＬ１と第２液晶表示パネルＰＮＬ２とは、フレキシブル基板３０５によって電気的に接続されている。
【００１３】
第１液晶表示パネルＰＮＬ１および第２液晶表示パネルＰＮＬ２のそれぞれは、ガラス基板上にマトリクス状に配置された複数の表示画素（図示せず）からなる第１表示部ＤＹＰ１、および第２表示部ＤＹＰ２を有している。
【００１４】
第１表示部ＤＹＰ１には、表示画素が配列する行に沿って延びる走査線２０１と、表示画素が配列する列に沿って延びる信号線３０４と、が配置されている。走査線２０１と信号線３０４とが交差する位置の近傍には画素スイッチ（図示せず）が配置されている。
【００１５】
第２表示部ＤＹＰ２には、表示画素が配列する行に沿って延びる走査線２０２と、表示画素の配列する列に沿って延びる信号線３０４と、が配置されている。走査線２０２と信号線３０４とが交差する位置の近傍には画素スイッチ（図示せず）が配置されている。
【００１６】
本実施形態に係る液晶表示装置では、第２表示部ＤＹＰ２に配置された信号線３０４の一部が、第１表示部ＤＹＰ１に延びている。すなわち、信号線３０４の一部は、第１液晶表示パネルＰＮＬ１と第２液晶表示パネルＰＮＬ２とに共有されている。
【００１７】
本実施形態に係る液晶表示装置は、第１表示部ＤＹＰ１および第２表示部ＤＹＰ２を駆動する駆動部を有している。駆動部は、半導体チップで構成される走査線駆動回路２１１と、信号線駆動回路３０３とを有している。
【００１８】
走査線駆動回路２１１は、走査線２０１、２０２に走査信号を供給する第１走査信号供給配線Ｗ１、第２走査信号供給配線２０９、および第３走査信号供給配線２１０、に接続されている。信号線駆動回路は、信号線３０４に映像信号または単色映像信号を供給する供給配線Ｗ２に接続されている。
【００１９】
図１および図２に示すように、走査線２０１の一端には、画素スイッチと同一工程でガラス基板上に一体的に形成された第１スイッチ２０３が接続されている。第１スイッチ２０３は、走査線２０１と第１走査信号供給配線Ｗ１との接続を切り替える。すなわち、走査線２０１は、第１スイッチ２０３を介して第１走査信号供給配線Ｗ１に接続されている。
【００２０】
走査線２０２の一端には画素スイッチと同一工程でガラス基板上に一体的に形成された第２スイッチ２０４が接続されている。第２スイッチ２０４は、走査線２０２と第１走査信号供給配線Ｗ１との接続を切り替える。すなわち、走査線２０２は、第２スイッチ２０４を介して第１走査信号供給配線Ｗ１に接続されている。
【００２１】
第１スイッチ２０３、および第２スイッチ２０４は、そのオン／オフを走査線駆動回路２１１によって制御され、その結果、走査線駆動回路２１１と走査線２０１、２０２の一端との接続が切り替えられる。走査線駆動回路２１１は、第１走査信号供給配線Ｗ１に順次走査信号を供給し、走査線２０１および走査線２０２を順次駆動可能に構成されている。
【００２２】
同様に、図１および図２に示すように、走査線２０１の他端には、画素スイッチと同一工程でガラス基板上に一体的に形成された第３スイッチ２０５が接続されている。第３スイッチ２０５は、走査線２０１と第２走査信号供給配線２０９との接続を切り替える。すなわち、走査線２０２は、第３スイッチ２０５を介して第２走査信号供給配線２０５に接続されている。
【００２３】
走査線２０２の他端には画素スイッチと同一工程でガラス基板上に一体的に形成された第４スイッチ２０６が接続されている。第４スイッチ２０６は、走査線２０２と第３走査信号供給配線２１０との接続を切り替える。すなわち、走査線２０２は、第４スイッチ２０６を介して第３走査信号供給配線２１０に接続されている。
【００２４】
走査線駆動回路２１１と第３スイッチ２０５との間は第２走査信号供給配線２０９によって接続されている。走査線駆動回路２１１と第４スイッチ２０６との間は、第３走査信号供給配線２１０によって接続されている。
【００２５】
第３スイッチ２０５、および第４スイッチ２０６は、走査線駆動回路２１１によってそのオン／オフを制御され、その結果、走査線駆動回路２１１と走査線２０１、２０２の他端との接続が切り替えられる。本実施形態にかかる液晶表示装置では、走査線駆動回路２１１は、第２走査信号供給配線２０９または第３走査信号供給配線２１０に走査信号を供給して、信号線２０１または信号線２０２を一括駆動する。
【００２６】
図３に示すように、走査線駆動回路２１１は、制御部２１１Ａ、対向電圧選択部２１１Ｂ、および走査信号選択部２１１Ｃを有している。制御部２１１Ａは、対向電圧選択部２１１Ｂの選択スイッチ７、８、および走査信号選択部２１１Ｃの選択スイッチ９、１０、１１、１２を制御する。
【００２７】
すなわち、対向電圧選択部２２１Ｂは、第１液晶表示パネルＰＮＬ１のＨｉ側の電圧発生源ＶＣＯＭＨ１、第１液晶表示パネルＰＮＬ１のＬｏ側の電圧発生源ＶＣＯＭＬ１を有している。制御部２１１Ａは、第１液晶表示パネルＰＮＬ１の極性信号により選択スイッチ７を切り替えて、第１液晶表示パネルＰＮＬ１の対向電圧ＶＣＯＭ１を切替える。
【００２８】
また、対向電圧選択部２１１Ｂは、第２液晶表示パネルＰＮＬ２のＨｉ側の電圧発生源ＶＣＯＭＨ２、第２液晶表示ＰＮＬ２のＬｏ側の電圧発生源ＶＣＯＭＬ２を有している。制御部２１１Ａは、第２液晶表示パネルＰＮＬ２の極性信号により選択スイッチ８を切り替えて、第２液晶表示パネルＰＮＬ２の対向電圧ＶＣＯＭ２を切替える。
【００２９】
走査信号選択部２２１Ｃは、選択スイッチ９、１０を有している。選択スイッチ９、１０は、走査線２０１、および走査線２０２の各端部に接続された第１スイッチ２０３、第２スイッチ２０４、第３スイッチ２０５、および第４スイッチ２０６をオンオフするための電位を切り替える。
【００３０】
すなわち、選択スイッチ９は、走査線２０１の他端に接続された第３スイッチ２０５、および走査線２０２の一端に接続された第２スイッチ２０４に供給する電位を選択する。選択スイッチ１０は、走査線２０１の一端に接続された第１スイッチ２０３、および走査線２０２の他端に接続された第４スイッチ２０６に供給する電位を選択する。
【００３１】
さらに、走査信号選択部２２１Ｃは、選択スイッチ１１、１２を有している。選択スイッチ１１、１２は、制御部２１１Ａからの制御信号により、第２走査信号供給配線２０９および第３走査信号供給配線２１０に供給する電位を選択する。
【００３２】
すなわち、選択スイッチ１１は、走査線２０１の他端に接続された第３スイッチ２０５がオンの時に、第１表示部ＤＹＰ１の画素スイッチをオンするための電位を選択する。選択スイッチ１１によって選択された電位は、第２走査信号供給配線２０９を介して走査線２０１に供給される。
【００３３】
選択スイッチ１２は、走査線２０２の他端に接続された第４スイッチ２０６がオンの時に、第２表示部ＤＹＰ２の画素スイッチをオンするための電位を選択する。選択スイッチ１２によって選択された電位は、第３走査信号供給配線２１０を介して走査線２０２に供給される。
【００３４】
これにより、本実施形態に係る液晶表示装置では、走査線駆動回路２１１と走査線２０１、２０２との接続を切り替えて液晶表示装置を駆動することによって、種々の表示モードの実現が、走査線駆動回路２１１の回路規模を増大させることなく実現できる。しかも、第１スイッチ２０３、第２スイッチ２０４、第３スイッチ２０５、および第４スイッチ２０６を画素スイッチと同一工程でガラス基板上に一体的に形成することにより、製造コストが増大することもない。
【００３５】
次に、本実施形態に係る液晶表示装置の動作について以下に説明する。最初に、第１液晶表示パネルＰＮＬ１の表示部ＤＹＰ１が映像表示であって、第２液晶表示パネルＰＮＬ２の表示部ＤＹＰ２に単色映像表示である場合の動作について説明する。
【００３６】
図４Ａに示すように、本実施形態に係る液晶表示装置では、１フレーム対向反転駆動を行っている。すなわち、図３に示すように、選択スイッチ７は、制御部２１１Ａからの極性信号によって、電圧発生源ＶＣＯＭＨ１と電圧発生源ＶＣＯＭＬ１との接続を切り替える。
【００３７】
これらの電圧のいずれかが、第１液晶表示パネルＰＮＬ１の対向電位ＶＣＯＭ１として出力される。このとき、第１液晶表示パネルＰＮＬ１の対向電位ＶＣＯＭ１は図４Ａに示すように、１フレーム期間毎に切替えられる。
【００３８】
選択スイッチ８は、制御部２１１Ａからの極性信号によって、電圧発生源ＶＣＯＭＨ２と電圧発生源ＶＣＯＭＬ２との接続を切り替える。これらの電圧のいずれかが、第２液晶表示パネルＰＮＬ１の対向電位ＶＣＯＭ２として出力される。このとき、第２液晶表示パネルＰＮＬ２の対向電位ＶＣＯＭ２は、図４Ａに示すように、１フレーム期間毎に切替えられる。
【００３９】
表示部ＤＹＰ１には、期間Ｔ１及び期間Ｔ４に映像信号が描画される。表示部ＤＹＰ２には、期間Ｔ２及び期間Ｔ５に、単色の映像が描画される。期間Ｔ３及び期間Ｔ６では、液晶への描画を行わない垂直（Ｖ）ブランク期間である。
【００４０】
すなわち、これらの期間において、制御部２１１Ａからの制御信号により、選択スイッチ９は第３スイッチ２０５、及び、第２スイッチ２０４がオフになる電位を選択する。選択スイッチ９によって選択された電位は、電位供給ライン２０７に出力される。
【００４１】
期間Ｔ１、Ｔ２、Ｔ４、Ｔ５において、選択スイッチ１０は、第１スイッチ２０３、及び、第４スイッチ２０６がオンになる電位を選択する。選択スイッチ１０によって選択された電位は、電位供給ライン２０８に出力される。
【００４２】
このとき、走査線２０１は、第１スイッチ２０３を通して走査線駆動回路２１１によって順次駆動される。走査線２０２は、第４スイッチ２０６を通して走査線駆動回路２１１によって一括駆動される。
【００４３】
すなわち、期間Ｔ１および期間Ｔ４において、第１スイッチ２０３がオンとなり、第２スイッチ２０４がオフとなっている。したがって、これらの期間において、第１走査信号供給配線Ｗ１は、第１スイッチ２０３を介して走査線２０１に接続されている。
【００４４】
その結果、期間Ｔ１および期間Ｔ４において、走査線駆動回路２１１から第１走査信号供給配線Ｗ１に供給された走査信号は、走査線２０１に供給される。すなわち、期間Ｔ１および期間Ｔ４では、走査線２０１が順次駆動され、信号線駆動回路３０３より出力された映像信号が第１表示部ＤＹＰ１に書き込まれる。
【００４５】
また、選択スイッチ１２は、制御部２１１Ａの制御信号により、期間Ｔ１、Ｔ３、Ｔ４、Ｔ６において第２表示部ＤＹＰ２の画素スイッチがオフになる電位を選択する。選択スイッチ１２によって選択された電位は、第３走査信号供給配線２１０に供給される。
【００４６】
ここで、期間Ｔ１および期間Ｔ４では、第４スイッチ２０６がオンとなっているが、第３走査信号供給配線２１０に供給される電位が、第２表示部ＤＹＰ２の画素スイッチをオフする電位であるため、第２表示部ＤＹＰ２に映像信号の書き込みが行われない。
【００４７】
また、期間Ｔ３および期間Ｔ６では、第４スイッチ２０６がオフとなっているため、第３走査信号供給配線２１０と走査線２０２は電気的に接続されていない。したがって、期間Ｔ３および期間Ｔ６においても、第２表示部ＤＹＰ２に映像信号の書き込みは行われない。
【００４８】
選択スイッチ１２は、期間Ｔ２、Ｔ５において、制御部２１１Ａの制御信号により、画素スイッチがオンになる電位を選択する。選択スイッチ１２によって選択された電位は、第３走査信号供給配線２１０に供給される。
【００４９】
期間Ｔ２および期間Ｔ５では、第４スイッチ２０６がオンとなっている。したがって、第３走査信号供給配線２１０に供給された電位により、第２表示部ＤＹＰ２の画素スイッチがオンとなり、信号線３０４を通して映像信号の一括書き込みが行われる。この時、第２液晶表示パネルＰＮＬ２の全表示画素には、黒色等の単色のデータが書き込まれる。
【００５０】
すなわち、本実施形態にかかる液晶表示装置では、期間Ｔ２および期間Ｔ５において走査線２０２を一括駆動するため、走査線２０１と走査線２０２との全走査ラインを順次駆動し映像信号を書き込む場合と比べて、順次駆動される走査ライン数が少なくなることから、低消費電力化が可能である。
【００５１】
さらに、図４Ａから解る通り、期間Ｔ２および期間Ｔ５において走査線２０２を一括駆動するため、期間Ｔ２及び期間Ｔ５を非常に短く設定することができる。これにより、本実施形態にかかる液晶表示装置では垂直ブランク期間Ｔ３、Ｔ６を従来よりも長くすることが出来る。このことから、本実施形態にかかる液晶表示装置ではさらなる低消費電力化が可能になる。
【００５２】
さらに、期間Ｔ１、Ｔ２、Ｔ３において、電位ＶＣＯＭＬ１、および電位ＶＣＯＭＬ２は使用されないため、それらの電圧発生源を停止し、さらに、データ更新区間外である期間Ｔ３においては電位ＶＣＯＭＨ１、および電位ＶＣＯＭＨ２の電圧発生源を停止する。
【００５３】
同様に、期間Ｔ４、Ｔ５、Ｔ６において電位ＶＣＯＭＨ１、および電位ＶＣＯＭＨ２は使用されないため、それらの電圧発生源を停止し、さらにデータ更新区間外である期間Ｔ６においては電位ＶＣＯＭＬ１、および電位ＶＣＯＭＬ２の電圧発生源を停止する。このことにより、一層の低消費電力化を図ることができる。
【００５４】
また、本実施形態にかかる液晶表示装置では、信号線３０４の一部が第１表示部ＤＹＰ１と第２表示部ＤＹＰ２とで共有されている。このことから、信号線駆動回路３０３の出力端子数を減らすことが可能であり、液晶表示装置の小型化を実現するとともに、製造コストを低減することができる。
【００５５】
次に、第２液晶表示パネルＰＮＬ２が映像表示、第１液晶表示パネルＰＮＬ１が単色映像表示時の際の動作について、図１、図２、図３および図４Ｂを参照して以下に説明する。
【００５６】
図４Ａに示した場合と同様に、本実施形態に係る液晶表示装置では、１フレーム対向反転駆動を行っている。すなわち、選択スイッチ７は、極性信号５によって電圧発生源ＶＣＯＭＨ１と電圧発生源ＶＣＯＭＬ１との接続を切り替える。
【００５７】
これらの電圧のいずれかが、第１液晶表示パネルＰＮＬ１の対向電位ＶＣＯＭ１として出力される。この時の第１液晶表示パネルＰＮＬ１の対向電位は、図４Ｂに示すように、１フレーム期間毎に切替えられる。
【００５８】
選択スイッチ８は、極性信号６によって電圧発生源ＶＣＯＭＨ２と電圧発生源ＶＣＯＭＬ２との接続を切り替える。これらの電圧のいずれかが、第２液晶表示パネルＰＮＬ１の対向電位ＶＣＯＭ２として出力される。この時の第２液晶表示パネルＰＮＬ２の対向電位は、図４Ｂに示すように、１フレーム期間毎に切替えられる。
【００５９】
図４Ｂに示す場合では、期間Ｔ７及び期間Ｔ１０において、第２表示部ＤＹＰ２に映像信号が描画される。期間Ｔ８及び期間Ｔ１１において、第１表示部ＤＹＰ１に単色の映像が描画される。期間Ｔ９及び期間Ｔ１２は、液晶への描画を行わない垂直（Ｖ）ブランク期間である。
【００６０】
期間Ｔ７、Ｔ８、Ｔ１０、Ｔ１１において、選択スイッチ９は、制御部２１１Ａからの制御信号により、第２スイッチ２０４および第３スイッチ２０５がオンとなる電位を選択する。選択スイッチ９により選択された電位は、電位供給ライン２０７に供給される。
【００６１】
期間Ｔ７乃至期間Ｔ１１において、選択スイッチ１０は、制御部２１１Ａからの制御信号により、第１スイッチ２０３および第４スイッチ２０６がオフとなる電位を選択する。選択スイッチ１０により選択された電位は、電位供給ライン２０８に供給される。
【００６２】
したがって、走査線２０１は、第３スイッチ２０５を通じて走査線駆動回路２１１により一括駆動される。走査線２０２は、第２スイッチ２０４を通じて走査線駆動回路２１１により順次駆動される。
【００６３】
すなわち、期間Ｔ７および期間Ｔ１０において、第１スイッチ２０３がオフとなり、第２スイッチ２０４がオンとなっている。したがって、これらの期間において、第１走査信号供給配線Ｗ１は、第２スイッチ２０４を介して走査線２０２に接続されている。
【００６４】
その結果、期間Ｔ７および期間Ｔ１０において、走査線駆動回路２１１から第１走査信号供給配線Ｗ１に供給された走査信号は、走査線２０２に供給される。したがって、期間Ｔ７および期間Ｔ１０では、走査線２０２が順次駆動され、信号線駆動回路３０３より出力された映像信号が第２表示部ＤＹＰ２に書き込まれる。
【００６５】
また、選択スイッチ１１は、期間Ｔ７、Ｔ９、Ｔ１０、Ｔ１２において、制御部２１１Ａからの制御信号により、第1表示部ＤＹＰ１の画素スイッチがオフとなる電位を選択する。選択スイッチ１１により選択された電位は、第２走査信号供給配線２０９に供給される。
【００６６】
ここで、期間Ｔ７および期間Ｔ１０では、第３スイッチ２０５がオンとなっているが、第２走査信号供給配線２０９に供給される電位が第１表示部ＤＹＰ１の画素スイッチをオフとする電位であるため、第１表示部ＤＹＰ１には映像信号の書き込みが行われない。
【００６７】
また、期間Ｔ９および期間Ｔ１２では、第３スイッチ２０５がオフとなっているため、第２走査信号供給配線２０９と走査線２０１とは電気的に接続されていない。したがって、期間Ｔ９および期間Ｔ１２においても、第１表示部ＤＹＰ１には映像信号の書き込みが行われない。
【００６８】
また、選択スイッチ１１は、期間Ｔ８、Ｔ１１において、制御部２１１Ａからの制御信号により、第１表示部ＤＹＰ１の画素スイッチがオンとなる電位を選択する。選択スイッチ１２によって選択された電位は、第２走査信号供給配線２０９に供給される。
【００６９】
期間Ｔ８および期間Ｔ１１では、第３スイッチ２０５がオンとなっている。そたがって、第２走査信号供給配線２０９に供給された電位により、第１表示部ＤＹＰ１の画素スイッチがオンとなり、信号線３０４を介して映像信号の一括書き込みが行われる。この時、第1表示部ＤＹＰ１には、黒色等の単色の映像信号が書き込まれる。
【００７０】
すなわち、上記のように液晶表示装置を駆動することによって、図４Ａに示した場合と同様に、期間Ｔ８及び期間Ｔ１１において走査線２０１を一括駆動するため、走査線２０１と走査線２０２との全走査ラインを順次駆動し映像信号を書き込む従来の場合に比べ、順次駆動される走査ライン数が少なくなることから、低消費電力化が可能である。
【００７１】
さらに、図４Ｂから解る通り、期間Ｔ８及び期間Ｔ１１は、走査線２０１を一括駆動しているため、非常に短時間に設定することができる。このため、本実施形態にかかる液晶表示装置では、やはり垂直ブランク期間Ｔ９、Ｔ１１を長くすることが出来る。このことから、本実施形態にかかる液晶表示装置では、さらなる低消費電力化が可能になる。
【００７２】
さらに、期間Ｔ７、Ｔ８、Ｔ９において、電位ＶＣＯＭＬ１および電位ＶＣＯＭＬ２は使用されないため、それらの電圧発生源を停止し、さらに、データ更新区間外である期間Ｔ９において、電位ＶＣＯＭＨ１、および電位ＶＣＯＭＨ２の電圧発生源を停止する。
【００７３】
同様に、期間Ｔ１０、Ｔ１１、Ｔ１２において電位ＶＣＯＭＨ１および電位ＶＣＯＭＨ２は使用されないため、それらの電圧停止を停止し、さらにデータ更新区間外である期間Ｔ１２においては電位ＶＣＯＭＬ１および電位ＶＣＯＭＬ２の電圧発生源を停止する。このことにより、低消費電力化をはかることができる。
【００７４】
また、図４Ａに示す場合と同様に、本実施形態にかかる液晶表示装置では、信号線駆動回路３０３の出力端子数を減らすことが可能であり、液晶表示装置の小型化を実現するとともに、製造コストを低減することができる。
【００７５】
すなわち、本実施形態にかかる液晶表示装置によれば、複数の表示部を有する液晶表示装置において、低消費電力化を実現する液晶表示装置を提供することができる。
【００７６】
次に、本発明の第２実施形態に係る液晶表示装置について図面を参照して以下に説明する。なお、以下の説明において、前述の第１実施形態に係る液晶表示装置と同様の構成については、同一の符号を付して説明を省略する。
【００７７】
図５に示すように、本実施形態にかかる液晶表示装置は、前述の第１実施形態にかかる液晶表示装置と同様に、第１液晶表示パネルＰＮＬ１および第２液晶表示パネルＰＮＬ２を有している。第１液晶表示パネルＰＮＬ１は第１表示部ＤＹＰ１を有している。第２液晶表示パネルＰＮＬ２は第２表示部ＤＹＰ２を有している。
【００７８】
第１表示部ＤＹＰ１および第２表示部ＤＹＰ２は、それぞれマトリクス状に配置された複数の表示画素からなり、走査線２０１、２０２、が配置されている。第１表示部ＤＹＰ１および第２表示部ＤＹＰ２は、信号線３０４を共有している。
【００７９】
本実施形態にかかる液晶表示装置は、第１表示部ＤＹＰ１および第２表示部ＤＹＰ２を駆動する駆動部を有している。駆動部は、走査線２０１、２０２に駆動電位を供給する半導体チップで構成される走査線駆動回路２１１と、すべての信号線３０４に映像信号を供給する半導体チップで構成される信号線駆動回路３０３とを有している。
【００８０】
第１実施形態にかかる液晶表示装置と同様に、走査線２０１の一端には画素スイッチと同一工程でガラス基板上に一体的に形成された第１スイッチ２０３が接続されている。走査線２０２の一端には画素スイッチと同一工程でガラス基板上に一体的に形成された第２スイッチ２０４が接続されている。走査線２０１の他端には画素スイッチと同一工程でガラス基板上に一体的に形成された第３スイッチ２０５が接続されている。走査線２０２の他端には画素スイッチと同一工程でガラス基板上に一体的に形成された第４スイッチ２０６が接続されている。
【００８１】
走査線駆動回路２１１と第３スイッチ２０５との間は、第２走査信号供給配線２０９によって接続されている。走査線駆動回路２１１と第４スイッチ２０６との間は第３走査信号供給配線２１０によって接続されている。
【００８２】
すなわち、第２走査信号供給配線２０９は、第３スイッチを介して走査線２１０に接続されている。第３走査信号供給配線２１０は、第４スイッチ２０６を介して走査線２０２に接続されている。
【００８３】
本実施形態にかかる液晶表示装置では、第２走査信号供給配線２０９は走査線２０１の奇数ラインに駆動信号を供給する配線２０９Ａと、走査線２０１の偶数ラインに駆動信号を供給する配線２０９Ｂとを有している。すなわち、走査線２０１は、その奇数番目のラインと偶数番目のラインとがそれぞれ異なる第２走査供給配線２０９Ａ、２０９Ｂに接続されている。
【００８４】
第３走査信号供給配線２１０は、走査線２０２のうち奇数ラインに駆動信号を供給する配線２１０Ａと、走査線２０２のうち偶数ラインに駆動信号を供給する配線２１０Ｂとを有している。すなわち、走査線２０２は、その奇数番目のラインと偶数番目のラインとがそれぞれ異なる第２走査信号供給配線２１０Ａ、２１０Ｂに接続されている。
【００８５】
図７に示すように、走査線駆動回路２１１は、制御部２１１Ａ、対向電圧選択部２１１Ｂ、および走査信号選択部２１１Ｃを有している。制御部２１１Ａは、対向電圧選択部２１１Ｂの選択スイッチ７、８、および、走査信号選択部２１１Ｃの選択スイッチ９、１０、１１Ａ、１１Ｂ、１２を制御する。
【００８６】
選択スイッチ１１Ａ、１１Ｂは、制御部２１１Ａからの制御信号により、第２走査信号供給配線２０９Ａ、２０９Ｂに供給される電位を選択する。すなわち、選択スイッチ１１Ａ、１１Ｂによって選択された電位は、第３スイッチ２０５がオンの時に、第１表示部ＤＹＰ１の画素スイッチに供給される。
【００８７】
第２走査信号供給配線２０９Ａには、選択スイッチ１１Ａにより選択された電位が入力される。第２走査信号供給配線２０９Ａに入力された電位は、第３スイッチ２０５を通して、走査線２０１の奇数ラインに接続された画素スイッチ供給される。
【００８８】
第２走査信号供給配線２０９Ｂには、選択スイッチ１１Ｂにより選択された電位が入力される。第２走査信号供給配線２０９Ｂに入力された電位は、第３スイッチ２０５を通して、走査線２０１の偶数ラインに接続された画素スイッチに供給される。
【００８９】
選択スイッチ１２Ａおよび選択スイッチ１２Ｂは、制御部２１１Ａからの制御信号により、第３走査信号供給配線２１０に供給される電位を選択する。すなわち、選択スイッチ１２Ａ、１２Ｂによって選択された電位は、第４スイッチ２０６がオンの時に、第２表示部ＤＹＰ２の画素スイッチに供給される。
【００９０】
第３走査信号供給配線２１０Ａには、選択スイッチ１２Ａにより選択された電位が入力される。第３走査信号供給配線２１０Ａに入力された電位は、第４スイッチ２０６を通して、走査線２０２の奇数ラインに接続された画素スイッチに供給される。
【００９１】
第３走査信号供給配線２１０Ｂには、選択スイッチ１２Ｂにより選択された電位が入力される。第３走査信号供給配線２１０Ｂに入力された電位は、第４スイッチ２０６を通して、走査線２０２の偶数ラインに接続された画素スイッチに供給される。
【００９２】
これにより、本実施形態に係る液晶表示装置では、前述の第１実施形態にかかる液晶表示装置の場合と同様に、走査線駆動回路２１１と走査線２０１、２０２との接続を切り替えて液晶表示装置を駆動することによって、種々の表示モードの実現が、走査線駆動回路２１１の回路規模を増大させることなく実現できる。しかも、第１スイッチ２０３、第２スイッチ２０４、第３スイッチ２０５、および第４スイッチ２０６を基板上に一体的に構成することにより、製造コストが増大することもない。
【００９３】
次に、本実施形態にかかる液晶表示装置の動作について、図面を参照して以下に説明する。最初に、第１表示部ＤＹＰ１が映像表示、第２表示部ＤＹＰ２が単色映像表示の場合の動作について説明する。
【００９４】
図８Ａに示すように、本実施形態に係る液晶表示装置では、１フレーム対向反転駆動を行っている。すなわち、図７に示すように、選択スイッチ７は、制御部２１１Ａからの極性信号によって電圧発生源ＶＣＯＭＨ１と電圧発生源ＶＣＯＭＬ１との接続を切り替える。
【００９５】
これらの電圧のいずれかが、第１液晶表示パネルＰＮＬ１の対向電位ＶＣＯＭ１として出力される。このとき、第１液晶表示パネルＰＮＬ１の対向電位ＶＣＯＭ１は図８Ａに示すように、１フレーム期間毎に切替えられる。
【００９６】
選択スイッチ８は、制御部２１１Ａからの極性信号によって、電圧発生源ＶＣＯＭＨ２と電圧発生源ＶＣＯＭＬ２との接続を切り替える。これらの電圧のいずれかが、第２液晶表示パネルＰＮＬ１の対向電位ＶＣＯＭ２として出力される。このとき、第２液晶表示パネルＰＮＬ２の対向電位ＶＣＯＭ２は、図４Ａに示すように、１フレーム期間毎に切替えられる。
【００９７】
第１表示部ＤＹＰ１には、期間Ｔ１Ａ及び期間Ｔ４Ａに映像信号が描画される。第２表示部ＤＹＰ２には、期間Ｔ２Ａ、Ｔ２Ｂ、Ｔ５Ａ、Ｔ５Ｂに、単色映像が描画される。期間Ｔ３Ａ及び期間Ｔ６Ａでは、液晶への描画を行わない垂直（Ｖ）ブランク期間である。
【００９８】
すなわち、図７に示すように、選択スイッチ９は、制御部２１１Ａからの制御信号により、これらの期間において、第３スイッチ２０５および第２スイッチ２０４がオフになる電位を選択する。選択スイッチ９によって選択された電位は、電位供給ライン２０７に出力される。
【００９９】
選択スイッチ１０は、期間Ｔ１Ａ、Ｔ２Ａ、Ｔ２Ｂ、Ｔ４Ａ、Ｔ５Ａ、Ｔ５Ｂにおいて、第１スイッチ２０３および第４スイッチ２０６がオンになる電位を選択する。選択スイッチ１０によって選択された電位は、電位供給ライン２０８に出力される。
【０１００】
このとき、走査線２０１は、第１スイッチ２０３を通して走査線駆動買いと２１１により順次駆動される。走査線２０２は、第４スイッチ２０６を通して走査線駆動回路２１１により一括駆動される。
【０１０１】
すなわち、期間Ｔ１Ａおよび期間Ｔ４Ａにおいて、第１スイッチ２０３がオンとなり、第２スイッチ２０４がオフとなっている。したがって、これらの期間において、第１走査信号供給配線Ｗ１は、第１スイッチ２０３を介して走査線２０１に接続されている。
【０１０２】
その結果、期間Ｔ１Ａおよび期間Ｔ４Ａにおいて、走査線駆動回路２１１から第１走査信号供給配線Ｗ１に供給された走査信号は、走査線２０１に供給される。すなわち、期間Ｔ１Ａおよび期間Ｔ４Ａでは、走査線２０１が順次駆動され、信号線駆動回路３０３より出力された映像信号が第１表示部ＤＹＰ１に書き込まれる。
【０１０３】
本実施形態にかかる液晶表示装置では、期間Ｔ２Ａおよび期間Ｔ５Ａにおいて、走査線２０２の奇数ラインが一括駆動される。すなわち、期間Ｔ２Ａおよび期間Ｔ５Ａにおいて、選択スイッチ１２Ａは、第２表示部ＤＹＰ２の画素スイッチがオンとなる電位を選択する。選択スイッチ１２Ａによって選択された電位は、第３走査信号供給配線２１０Ａに供給される。
【０１０４】
ここで、期間Ｔ２Ａおよび期間Ｔ５Ａでは、第４スイッチ２０６がオンとなっている。したがって第３走査信号供給配線２１０Ａに供給された電位により、走査線２０２の奇数ラインに接続された画素スイッチがオンとなり、信号線３０４を通して映像信号の一括書き込みが行われる。このとき、第２表示部ＤＹＰ２には黒色等の単色映像信号が書き込まれる。
【０１０５】
期間Ｔ２Ｂおよび期間Ｔ５Ｂにおいて、走査線２０２の偶数ラインが一括駆動される。すなわち、期間Ｔ２Ｂおよび期間Ｔ５Ｂにおいて、選択スイッチ１２Ｂは、第２表示部ＤＹＰ２の画素スイッチがオンとなる電位を選択する。選択スイッチ１２Ｂによって選択された電位は、第３走査信号供給配線２１０Ｂに供給される。
【０１０６】
ここで、期間Ｔ２Ｂおよび期間Ｔ５Ｂでは、第４スイッチ２０６がオンとなっている。したがって第３走査信号供給配線２１０Ｂに供給された電位により、走査線２０２の偶数ラインに接続された画素スイッチがオンとなり、信号線３０４を通して映像信号の一括書き込みが行われる。このとき、第２表示部ＤＹＰ２には黒色等の単色映像信号が書き込まれる。
【０１０７】
すなわち、上記のように液晶表示装置を駆動すると、期間Ｔ２Ａ、Ｔ２Ｂ、Ｔ５Ａ、Ｔ５Ｂにおいて走査線２０２を一括駆動するため、走査線２０１と走査線２０２との全走査ラインを順次駆動して映像信号を書き込む従来の場合に比べ、順次駆動される走査ライン数が少なくなることから、低消費電力化が可能である。
【０１０８】
このとき、図８Ａに示す通り、本実施形態に係る液晶表示装置では、期間Ｔ２Ａ、Ｔ２Ｂ、Ｔ５Ａ、Ｔ５Ｂは、複数の走査線を一括して制御するため、非常に短時間に設定するこいが可能となり、垂直ブランク期間である期間Ｔ３Ａ及び期間Ｔ６Ａを十分に長くすることが可能となる。このことから、本実施形態にかかる液晶表示装置ではさらなる低消費電力化が可能になる。
【０１０９】
また、本実施形態にかかる液晶表示装置では、期間Ｔ２Ａおよび期間Ｔ５Ａで走査線２０２の奇数ラインを駆動し、期間Ｔ２Ｂおよび期間Ｔ５Ｂで走査線２０２の偶数ラインを駆動している。このことから、本実施形態にかかる液晶表示装置では、全ての走査線２０２を一括駆動する場合と比較して、回路負荷を軽減でき、電源容量を小さくできる。
【０１１０】
さらに、期間Ｔ１Ａ、Ｔ２Ａ、Ｔ２Ｂにおいて、電圧発生源ＶＣＯＭＬ１、および電圧発生源ＶＣＯＭＬ２は使用されないため、これらの電圧発生源を停止し、さらに、データ更新区間外である期間Ｔ３Ａにおいては電圧発生源ＶＣＯＭＨ１、および電圧発生源ＶＣＯＭＨ２を停止する。
【０１１１】
同様に、期間Ｔ４Ａ、Ｔ５Ａ、Ｔ５Ｂにおいて電圧発生源ＶＣＯＭＨ１、および電圧発生源ＶＣＯＭＨ２は使用されないため、これらの電圧発生源を停止し、さらにデータ更新区間外である期間Ｔ６Ａにおいては電圧発生源ＶＣＯＭＬ１、および電圧発生源ＶＣＯＭＬ２を停止する。このことにより、さらに低消費電力化をはかることができる。
【０１１２】
また、本実施形態にかかる液晶表示装置では、信号線３０４の一部が第１表示部ＤＹＰ１と第２表示部ＤＹＰ２とで共有されている。このことから、信号線駆動回路３０３の出力端子数を減らすことが可能であり、液晶表示装置の小型化を実現するとともに、製造コストを低減することができる。
【０１１３】
次に、第１液晶表示パネルＰＮＬ１が単色映像表示、第２液晶表示パネルＰＮＬ２が映像表示の場合の動作について図５、図６、図７及び図８Ｂを参照して以下に説明する。
【０１１４】
この場合、第２表示部ＤＹＰ２には、期間Ｔ７Ａ及び期間Ｔ１０Ａにおいて、映像信号が描画される。第１表示部ＤＹＰ１には、期間Ｔ８Ａ、Ｔ８Ｂ、Ｔ１１Ａ、Ｔ１１Ｂにおいて、単色映像信号が描画される。期間Ｔ９Ａ及び期間Ｔ１２Ａは、液晶への描画を行わない垂直（Ｖ）ブランク期間である。
【０１１５】
すなわち、図８Ｂに示すように、選択スイッチ９は、制御部２１１Ａからの制御信号により、期間Ｔ７Ａ、Ｔ８Ａ、Ｔ８Ｂ、Ｔ１０Ａ、Ｔ１１Ａ、Ｔ１１Ｂにおいて第３スイッチ２０５、及び、第２スイッチ２０４がオンになる電位を選択する。選択スイッチ９によって選択された電位は、電位供給ライン２０７に出力される。
【０１１６】
選択スイッチ１０は、制御部２１１Ａからの制御信号により、期間Ｔ７Ａ乃至期間Ｔ１２Ａにおいて、第１スイッチ２０３、及び、第４スイッチ２０６がオフになる電位を選択する。選択スイッチ１０によって選択された電位は、電位供給ライン２０８に出力される。
【０１１７】
このとき、走査線２０１は、第３スイッチ２０５を通して走査線駆動回路２１１により一括駆動される。走査線２０２は、第２スイッチ２０４を通して走査線駆動回路２１１により順次駆動される。
【０１１８】
すなわち、期間Ｔ７Ａおよび期間Ｔ１０Ａにおいて、第１スイッチ２０３がオフとなり、第２スイッチ２０４がオンとなっている。したがって、これらの期間において、第１走査信号供給配線Ｗ１は、第２スイッチ２０４を介して走査線２０２に接続されている。
【０１１９】
その結果、期間Ｔ７Ａおよび期間Ｔ１０Ａにおいて、走査線駆動回路２１１から第１走査信号供給配線Ｗ１に供給された走査信号は、走査線２０２に供給される。すなわち、期間Ｔ７Ａおよび期間Ｔ１０Ａでは、走査線２０２が順次駆動され、信号線駆動回路３０３より出力された映像信号が第２表示部ＤＹＰ２に書き込まれる。
【０１２０】
本実施形態にかかる液晶表示装置では、期間Ｔ８Ａおよび期間Ｔ１１Ａにおいて、走査線２０１の奇数ラインが一括駆動される。すなわち、期間Ｔ８Ａおよび期間Ｔ１１Ａにおいて、選択スイッチ１１Ａは、第１表示部ＤＹＰ１の画素スイッチがオンとなる電位を選択する。選択スイッチ１１Ａによって選択された電位は、第２走査信号供給配線２０９Ａに供給される。
【０１２１】
ここで、期間Ｔ８Ａおよび期間Ｔ１１Ａでは、第３スイッチ２０５がオンとなっている。したがって第２走査信号供給配線２０９Ａに供給された電位により、走査線２０１の奇数ラインに接続された画素スイッチがオンとなり、信号線３０４を通して走査線２０１の奇数ラインに対応した表示画素に映像信号の一括書き込みが行われる。このとき、第２表示部ＤＹＰ２には黒色等の単色映像信号が書き込まれる。
【０１２２】
期間Ｔ８Ｂおよび期間Ｔ１１Ｂにおいて、走査線２０１の偶数ラインが一括駆動される。すなわち、期間Ｔ８Ｂおよび期間Ｔ１１Ｂにおいて、選択スイッチ１１Ｂは、第１表示部ＤＹＰ１の画素スイッチがオンとなる電位を選択する。選択スイッチ１１Ｂによって選択された電位は、第２走査信号供給配線２０９Ｂに供給される。
【０１２３】
ここで、期間Ｔ８Ｂおよび期間Ｔ１１Ｂでは、第３スイッチ２０５がオンとなっている。したがって第２走査信号供給配線２０９Ｂに供給された電位により、走査線２０１の偶数ラインに接続された画素スイッチがオンとなり、信号線３０４を通して走査線２０１の偶数ラインに対応した表示画素に映像信号の一括書き込みが行われる。このとき、第２表示部ＤＹＰ２には黒色等の単色映像信号が書き込まれる。
【０１２４】
すなわち、上記のように液晶表示装置を駆動することによって、本実施形態に係る液晶表示装置では、期間Ｔ８Ａ、Ｔ８Ｂ、Ｔ１１Ａ、Ｔ１１Ｂにおいて走査線２０１を一括駆動するため、走査線２０１、２０２全ラインを順次駆動し映像信号を書き込む従来の場合に比べ、順次駆動される走査ライン数が少なくなることから、低消費電力化が可能である。
【０１２５】
さらに、図８Ｂに示す通り、期間Ｔ８Ａ、Ｔ８Ｂ、Ｔ１１Ａ、Ｔ１１Ｂは、複数の走査線を一括して制御するため、非常に短時間に設定するこいが可能となり、垂直ブランク期間Ｔ９Ａ、Ｔ１２Ａを十分に長くすることが出来る。このことから、さらなる低消費電力化が可能になる。
【０１２６】
また、本実施形態にかかる液晶表示装置では、期間Ｔ８Ａおよび期間Ｔ１１Ａで走査線２０１の奇数ラインを駆動し、期間Ｔ８Ｂおよび期間Ｔ１１Ｂで走査線２０１の偶数ラインを駆動している。このことから、本実施形態にかかる液晶表示装置では、全ての走査線２０１を一括駆動する場合と比較して、回路負荷を軽減でき、電源容量を小さくできる。
【０１２７】
さらに、期間Ｔ７Ａ、Ｔ８Ａ、Ｔ８Ｂにおいて、電圧発生源ＶＣＯＭＬ１、および電圧発生源ＶＣＯＭＬ２は使用されないため、これらの電圧発生源を停止し、さらに、データ更新区間外である期間Ｔ９Ａにおいては電圧発生源ＶＣＯＭＨ１、および電圧発生源ＶＣＯＭＨ２の電圧発生源を停止する。
【０１２８】
同様に、期間Ｔ１０、Ｔ１１Ａ、Ｔ１１Ｂにおいて電圧発生源ＶＣＯＭＨ１、および電圧発生源ＶＣＯＭＨ２は使用されないため、これらの電圧発生源を停止し、さらにデータ更新区間外である期間Ｔ１２Ａにおいては電圧発生源ＶＣＯＭＬ１、および電圧発生源ＶＣＯＭＬ２の電圧発生源を停止する。このことにより、さらに低消費電力化をはかることができる。
【０１２９】
また、図８Ａに示す場合と同様に、本実施形態にかかる液晶表示装置では、信号線駆動回路３０３の出力端子数を減らすことが可能であり、液晶表示装置の小型化を実現するとともに、製造コストを低減することができる。
【０１３０】
上述のように本実施形態にかかる液晶表示装置によれば、複数の表示部を有する液晶表示装置において、装置の低廉化と低消費電力化を実現する液晶表示装置を提供することができる。
【０１３１】
なお、この発明は、上記実施形態そのままに限定されるものではなく、実施段階ではその要旨を逸脱しない範囲で構成要素を変形して具体化できる。例えば、上述の第１および第２実施形態にかかる液晶表示装置は、大きさの異なる第１表示部ＤＹＰ１と第２表示部ＤＹＰ２とを有していたが、これらの表示部ＤＹＰ１、ＤＹＰ２は同じ大きさであっても良い。
【０１３２】
その場合にも、上記のように、第１乃至第４スイッチを配置して、第１表示部と第２表示部との表示を切り替えることによって、上記の第１および第２実施形態にかかる液晶表示装置と同様の効果を得ることができる。
【０１３３】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１３４】
【図１】本発明の第１実施形態にかかる液晶表示装置の一構成例を概略的に示す図。
【図２】図１に示す液晶表示装置の走査線を駆動するための構成の一例を説明するための図。
【図３】図１に示す液晶表示装置の走査線駆動回路の構成の一例を説明するための図。
【図４Ａ】図１に示す液晶表示装置の動作の一例を説明するための図。
【図４Ｂ】図１に示す液晶表示装置の動作の他の例を説明するための図。
【図５】本発明の第２実施形態にかかる液晶表示装置の一構成例を概略的に示す図。
【図６】図５に示す液晶表示装置の走査線を駆動するための構成の一例を説明するための図。
【図７】図５に示す液晶表示装置の走査線駆動回路の構成の一例を説明するための図。
【図８Ａ】図５に示す液晶表示装置の動作の一例を説明するための図。
【図８Ｂ】図５に示す液晶表示装置の動作の他の例を説明するための図。
【符号の説明】
【０１３５】
ＤＹＰ１…第１表示部、ＤＹＰ２…第２表示部、２０１…走査線、２０２…走査線、２０３…第１スイッチ、２０４…第２スイッチ、２０５…第３スイッチ、２０６…第４スイッチ、２１１…走査線駆動回路、
【図１】
2009139650.tif 000003
【図２】
2009139650.tif 000004
【図３】
2009139650.tif 000005
【図４Ａ】
2009139650.tif 000006
【図４Ｂ】
2009139650.tif 000007
【図５】
2009139650.tif 000008
【図６】
2009139650.tif 000009
【図７】
2009139650.tif 000010
【図８Ａ】
2009139650.tif 000011
【図８Ｂ】
2009139650.tif 000012